(57)【特許請求の範囲】
【請求項１】
移動可能に支持された可動家具部品（３）を家具カーカス（２）に対して閉塞端部位置へと引き戻す引き戻し装置（１４）であって、
前記可動家具部品（３）に取り外し可能に連結され、少なくとも直線移動経路（１９）に沿った領域上を移動可能に支持された引っ張り部材（１８）と、
前記引っ張り部材（１８）とは別のバネホルダ（２１）を介して張力を付与され、前記引っ張り部材（１８）に力を加える少なくとも１つのバネ装置（１６）と、
前記引っ張り部材（１８）と前記バネホルダ（２１）との間を運動可能に連結し、前記引っ張り部材（１８）が開放方向に引き出されたとき、前記バネホルダ（２１）上の前記バネ装置（１６）の締結部（２２）を制御曲線（３３）に沿って前記引っ張り部材（１８）の位置に対して後退させる連結装置（３０）と、
を備え、
前記連結装置（３０）は、２つのレバー端部を有する少なくとも１つのツーアームレバー（２３）を有し、
前記ツーアームレバー（２３）は、前記バネホルダ（２１）の回動軸（２５）の周りに回動可能に取り付けられ、
前記ツーアームレバー（２３）の第１のレバー端部は、少なくとも１つのトランスミッションレバー（２６）を介して前記引っ張り部材（１８）に運動可能に連結され、
前記ツーアームレバー（２３）の第２のレバー端部は、前記引っ張り部材（１８）が引き出される際に、少なくとも制御曲線（３３）に沿った領域上を移動するようにガイドされる少なくとも１つのガイド部（２４）を有し、
前記少なくとも１つのトランスミッションレバー（２６）は、ヒンジ軸（３６）を介して前記ツーアームレバー（２３）の前記第１のレバー端部に連結されるとともに、回動軸受（２９）を介して前記引っ張り部材（１８）に運動可能に連結され、
前記少なくとも１つのトランスミッションレバー（２６）は、前記引っ張り部材（１８）の前記開放方向への移動時に、前記ヒンジ軸（３６）を中心に回転する、
引き戻し装置。
【請求項２】
前記ツーアームレバー（２３）の前記第１のレバー端部と前記第２のレバー端部とは、異なる長さを有する、請求項１に記載の引き戻し装置。
【請求項３】
前記少なくとも１つのガイド部（２４）は、前記ツーアームレバー（２３）の２つのレバー端部のうちの長い方に配置されている、請求項２に記載の引き戻し装置。
【請求項４】
前記少なくとも１つのトランスミッションレバー（２６）は、湾曲形状であり、
前記湾曲形状のトランスミッションレバー（２６）は、前記引っ張り部材（１８）の引き込み位置において、前記ツーアームレバー（２３）を囲む、請求項１〜３のいずれか１つに記載の引き戻し装置。
【請求項５】
前記制御曲線（３３）は、前記引っ張り部材（１８）の前記直線移動経路（１９）とは別に形成されている、請求項１〜４のいずれか１つに記載の引き戻し装置。
【請求項６】
前記制御曲線（３３）は、前記バネ装置（１６）の最後の張力付与経路に対応する少なくとも１つの端部領域上に湾曲部分を有する、請求項１〜５のいずれか１つに記載の引き戻し装置。
【請求項７】
前記制御曲線（３３）の全長に対する前記湾曲部分の長さは、前記制御曲線（３３）の全長の少なくとも３分の１である、請求項６に記載の引き戻し装置。
【請求項８】
前記直線移動経路（１９）及び前記制御曲線（３３）の少なくとも一方が配置又は形成されたハウジング（１７）を有する、請求項１〜７のいずれか１つに記載の引き戻し装置。
【請求項９】
前記引っ張り部材（１８）は、前記バネ装置（１６）が張力を付与されるセルフロック準備位置と、前記バネ装置（１６）が少なくとも部分的に圧力から開放される端部位置との間で前記直線移動経路（１９）に沿って移動可能に設けられている、請求項１〜８のいずれか１つに記載の引き戻し装置。
【請求項１０】
請求項１〜９のいずれか１つに記載の引き戻し装置を備える引出し延伸ガイド。
【請求項１１】
前記引出し延伸ガイドは、家具カーカス（２）に固定されるカーカスレール（１１）と、前記カーカスレール（１１）に移動可能に設けられる少なくとも１つの延長レール（１２）とを備え、
前記延長レール（１２）は、閉塞動作の終了時に、前記引き戻し装置（１４）を介して前記閉塞端部位置に引かれる、請求項１０に記載の引出し延伸ガイド。
【請求項１２】
引出し（４）と請求項１〜９のいずれか１つに記載の引き戻し装置（１４）とを備える装置、又は、請求項１０又は１１に記載の引出し延伸ガイド（１０）を備える装置。
【発明の詳細な説明】
【技術分野】
【０００１】
本発明は、可動家具部品を家具カーカスに対して閉塞位置へと引き戻す引き戻し装置であって、可動家具部品に取り外し可能に連結され、少なくとも直線移動経路に沿った領域にわたって移動可能に支持されている引っ張り部材と、引っ張り部材とは別のバネホルダを介して張力を付与され、引っ張り部材に力を加える少なくとも１つのバネ装置と、引っ張り部材とバネホルダとの間を運動可能に連結し、引っ張り部材が開放方向に引き出されたとき、バネホルダ上のバネ装置の締結部を制御曲線に沿って引っ張り部材の位置に対して後退させる連結装置と、を備える引き戻し装置に関する。
【０００２】
また、本発明は、後述するタイプの引き戻し装置を備える引出し延伸ガイド、及び、引出しと引き戻し装置とを備える装置に関する。
【背景技術】
【０００３】
引き戻し装置は、特に、その延在経路の広い領域にわたって自由に移動可能であり、閉塞移動の終了時に引き戻し装置の引っ張り部材に係合され、その後、バネ力によって閉塞位置に引かれ、所定のばね力でその位置で保持される引出し又は引き戸に使用される。可動家具部品が開放されているとき、操作者は、まず、引っ張り部材が、所定の距離の後に可動家具部品から分離され、次の閉塞工程において可動家具部品を再度引き込めるようにバネが張力付与準備位置に留まる予圧待機位置に移動されるまで、引き戻し装置のバネ抵抗に抗して引っ張り力を加えなければならない。操作者にとって、引出しの開放動作における引っ張り部材の連結解除は、ぎくしゃくした動きやクリック音を顕著にもたらし、突然のバネの分離のため、引出しが自由に移動可能となって予め加えられた引っ張り力により開放方向へ加速される。
【０００４】
本出願人による国際公開第２０１１／１５０４３２号は、引っ張り部材から分離され、制御曲線に沿って移動可能にガイドされるバネホルダによってこの問題を解決する。引っ張り部材とバネホルダとは、互いに係合する歯の形態の連結装置によって互いに動的に連結される。バネ装置に張力を付与するとき（すなわち、可動家具部品が開放されるとき）、バネホルダ上のバネ装置の締結部は、開放方向に向かって移動する引っ張り部材の位置に対して後退し、バネ装置の締結部の移動は、引っ張り部材の移動よりも遅くなる。これにより、バネ装置をチャージする労力が軽減され、可動家具部品が引っ張り部材から分離されたときに、望ましくないバネの分離とそれに関連する可動家具部品の過度の加速とを回避することができる。
【先行技術文献】
【特許文献】
【０００５】
【特許文献１】国際公開第２０１１／１５０４３２号
【発明の概要】
【発明が解決しようとする課題】
【０００６】
本発明の目的は、摩擦力を低減するとともに、コンパクトな構造を有する引き戻し装置を提供することにある。
【課題を解決するための手段】
【０００７】
このことは、請求項１の特徴によって達成される。本発明の更なる有利な構成は、従属請求項に示される。
【０００８】
本発明によれば、連結装置は、２つのレバー端部を有する少なくとも１つのツーアームレバーを有し、ツーアームレバーは、バネホルダの回動軸の周りに回動可能に取り付けられ、ツーアームレバーの第１のレバー端部は、引っ張り部材に運動可能に連結され、ツーアームレバーの第２のレバー端部は、引っ張り部材が引き出される際に、少なくとも制御曲線に沿った領域上を移動するようにガイドする少なくとも１つのガイド部を有する。
【０００９】
ツーアームレバーを有する連結装置によって、ギヤトランスミッションに比べて摩擦力及び騒音の放出を減少させる力低減機構を備えるレバートランスミッションを提供することができる。簡単な製造部品に加えて、提案される構成は、特に引っ張り部材の引き戻し位置で、連結装置のレバーを互いに入れ子にする可能性も提供し、それにより、引っ張り装置の非常にコンパクトな構造を実現する。ツーアームレバー及び制御曲線の各形態及びサイズによって、バネ装置に張力を付与するのに要求される力及び張力付与経路の有効長さを種々の構造に変更することができる。
【図面の簡単な説明】
【００１０】
本発明の更なる詳細及び利点は、図面に示される実施形態から得られる。
【図１】家具カーカスと当該家具カーカスへ移動可能な引出しとを有する家具の斜視図である。
【図２】引き戻し装置を備える引出し延伸ガイドを示す斜視図である。
【図３】引き戻し装置を上方から見た分解図である。
【図４】引き戻し装置を下方から見た分解図である。
【図５ａ】バネ装置の引っ張り工程を時系列的で示す図である。
【図５ｂ】バネ装置の引っ張り工程を時系列的で示す図である。
【図５ｃ】バネ装置の引っ張り工程を時系列的で示す図である。
【図５ｄ】バネ装置の引っ張り工程を時系列的で示す図である。
【図６ａ】引き戻し装置の斜視図である。
【図６ｂ】引き戻し装置の拡大詳細図である。
【発明を実施するための形態】
【００１１】
図１は、戸棚状の家具カーカス２と、家具カーカス２に対して引出し４の形態で移動可能に取り付けられた家具部品３とを備える家具１を示す図である。各引出し４は、前面パネル５と、引出しベース６と、側壁７と、後壁８とを備えている。側壁７の上方には、前面パネル５と後壁８との間に延在し、引出し４の収容能力を拡大する支柱９が設けられている。家具カーカス２に対して引出し４を移動可能に支持するために、家具カーカス２に固定されるカーカスレール１１と、引出し４に接続される少なくとも１本の延長レール１２をそれぞれ有する引出し延伸ガイド１０が設けられている。延長レール１２は、固定的なカーカスレール１１に対して移動可能に取り付けられている。カーカスレール１１と延長レール１２との間には、引出し４の完全な伸長が得られるように付加的な中央レールが配置されてもよい。そのような完全な伸長は、引出し４が完全に伸長した位置において後壁８が家具カーカス２の前面と実質的に同一平面にあるときに提供される。
【００１２】
図２は、引き戻し装置１４を備える引出し延伸ガイド１０の斜視図である。移動可能に取り付けられた延長レール１２は、閉塞動作の終了時に、引き戻し装置１４を介してバネ装置１６の力によって完全な閉塞位置に引き込まれる。通常、延長レール１２は、連結部（図示せず）を備え、具体的には延長レール１２から突出するペグを備える。前記連結部は、引き戻し装置１４の引っ張り部材１８に連結される。引っ張り部材１８は、ハウジング１７に対して移動可能に取り付けられ、バネ装置１６の力によって実質的に完全な閉塞位置に引き込まれる。引き戻し装置１４のハウジング１７は、好ましくはカーカスレール１１に固定され、延長レール１２とカーカスレール１１の締結部分１３との間に形成された中間空間に配置されている。
【００１３】
図３は、引き戻し装置１４を上方から見た分解斜視図である。引っ張り部材１８の滑動を支持するために、ハウジング１７には直線移動通路１９が設けられている。直線移動経路１９は、曲部又はエッジ部２０に続いている。引っ張り部材１８は、延長レール１２に固定された連結部（具体的にはペグ）に取り外し可能に連結される切欠き２７を有している。引出し４の完全な閉塞位置において、連結部は切欠き２７と係合する。引出し４を手動で開くと、引っ張り部材１８も連結部を介して直線移動経路１９に沿って開放方向３５（図５ａ〜図５ｄ）に引っ張られ、それによりバネ装置１６が張力を付与される。所定の距離の後に、引っ張り部材１８が曲部２０に達し、引っ張り部材１８が回動して、延長レール１２の連結部が解放され、引出し４が非連結状態でさらに開放方向に移動される。一方、引っ張り部材１８は、バネ装置１６が張力を付与された状態である偏向位置、すなわち予め圧力が付与されたセルフロック準備位置に位置する。引出し４を閉じると、延長レール１２上に配置された連結部が、予圧準備位置から切欠き２７に入ることによって引っ張り部材１８を再び解放する。その際、引っ張り部材１８（及び延長レール１２）は、バネ装置１６によって完全な閉塞位置に引き込まれる。
【００１４】
レバートランスミッションの形態の連結装置３０が、バネ装置１６に張力を付与するために必要な力を低減し、突然で望ましくないバネの力の分離（すなわち、引っ張り部材１８が曲部２０に入ることによって引出し４を開放すること）及び引出し４の開放方向への過度の加速を避けることができる。バネ装置１６は、引っ張り部材１８とは別のバネホルダ２１によって張力を付与されることができる。バネ装置１６の締結部２２は、バネホルダ２１に接続されている。バネホルダ２１は、ツーアームレバー２３が回動軸２５の周りに回動可能に設けられた軸受２８を有している。ツーアームレバー２３の一方のレバー端部には、ハウジング１７の制御曲線３３（図４）に沿って移動するようにガイドする少なくとも１つのガイド部２４が配置されている。ツーアームレバー２３の他方のレバー端部は、ヒンジ軸３６を介して、好ましくは湾曲形状であるトランスミッションレバー２６に接続されている。トランスミッションレバー２６の他端部は、回動軸受２９を介して引っ張り部材１８に運動可能に連結されている。トランスミッションレバー２６の回動軸受２９は、引っ張り部材１８の開口部３１に係合している。ツーアームレバー２３の第１のレバー端部と第２のレバー端部とは、異なる長さを有し、力の観点からは、ガイド部２４がツーアームレバー２３のより長いレバー端部に配置されることが有利である。
【００１５】
図４は、引き戻し装置１４を下方から見た分解図である。バネ装置１６の締結部２２は、バネホルダ２１の凹部３２に嵌合され、バネホルダ２１の軸受２８は、ツーアームレバー２３を回動軸２５の周りを回動可能に支持するように機能する。ツーアームレバー２３の他方のレバー端部は、湾曲したトランスミッションレバー２６を介して引っ張り部材１８にヒンジ接続されている。引っ張り部材１８をガイドするために、直線移動経路１９とそれに隣接する曲部２０とは、引き戻し装置１４のハウジング１７に配置又は形成されている。引っ張り部材１８は、突出部の形態のガイド装置３４を備え、直線移動経路１９及び曲部２０に沿ってガイドされる。また、直線移動経路１９とは別の制御曲線３３は、ガイド部２４を移動可能にガイドするためにハウジング１７に形成されている。制御曲線３３は、バネ装置１６の最後の張力付与経路に対応する湾曲部分に続く直線延在部を備えている。ツーアームレバー２３と制御曲線３３の湾曲部分との協働によって、バネ装置１６の張力付与経路の最後の部分において、張力付与経路の終点まで達することができる。バネホルダ２１上のバネ装置１６の締結部２２は、移動する引っ張り部材１８の位置に対して後退し、バネ装置１６の最後の張力付与経路において、締結部２２の動きは、引っ張り部材１８の動きよりも遅くなる。一実施形態によれば、制御曲線３３の湾曲部分の長さは、制御曲線３３の全長の少なくとも３分の１である。制御曲線３３の長さ及び形状によって、張力付与経路及び張力付与工程の進行が、例えば、直線移動経路１９と比較してより長い制御曲線３３の提供などの様々な方法によって変更され、張力付与のために必要な力を低減することができる。
【００１６】
図５ａ〜図５ｄは、バネ装置１６の張力付与工程を時間順に示す図である。バネ装置１６が実質的に緩められている図５ａの完全な閉塞位置からスタートし、可動家具部品に対して手で引っ張り力を付与することによって、引っ張り部材１８が直線移動経路１９に沿って開放方向へ引っ張られる。バネ装置１６は、固定バネ基部１５（図２）に対して張力を付与される。第１の張力付与区間ΔＸ１において、引っ張り部材１８とバネ装置１６の締結部２２との間の移動割合は、実質的に同じである。すなわち、締結部２２は、引っ張り部材１８が開放方向に向かうのと同じ速度で移動する。バネホルダ２１に回動可能に配置されたツーアームレバー２３は、ガイド部２４によって制御曲線３３に沿ってガイドされ、第２の張力付与区間ΔＸ２において、第１の張力付与区間ΔＸ１と比較して、締結部２２の遅い移動を提供する（図５ｂ）。ガイド部２４と制御曲線３３の湾曲部分との協働によって、ツーアームレバー２３は時計回りの方向に回動され、第３の張力付与区間ΔＸ３において、第２の張力付与区間ΔＸ２に比べて、開放方向３５に向かってさらに移動する引っ張り部材１８に対する締結部２２の動きが更に遅くなる。図５ｄにおいて、引っ張り部材１８は、可動家具部品３が非連結状態で更に開放方向３５に向かって移動できるように可動家具部品３と引っ張り部材１８との間の連結が解放される、偏向されたセルフロック準備位置にある。
【００１７】
張力付与区間ΔＸ１，ΔＸ２，ΔＸ３によって、開放方向３５に向かって移動される引っ張り部材１８に対する締結部２２の連続的な減速動作が提供され、バネ装置１６は、最大バネ撓み量まで張力を付与されない。従って、バネ装置１６に張力を付与することは、少ない労力しか必要とせず、引っ張り部材１８の連結状態と非連結状態との間の遷移区間及び荷重変化が非常に調和される。すなわち、引出し４から引っ張り部材１８が分離される際に、望ましくないバネの分離及び可動家具部品３の過剰な加速を回避することができる。連結装置３０によって達成される減速比によって、高いバネ力を有するバネ装置１６も、より少ない労力で張力を付与することができる。
【００１８】
図６ａは、引き戻し装置１４の斜視図である。バネ装置１６は、固定バネ基部１５に対して引っ張られる。図６ｂは、図６ａの囲まれた領域の拡大図である。引っ張り部材１８は、引き込み端部位置に配置されている。バネ装置１６は、締結部２２を介してバネホルダ２１に接続され、バネホルダ２１には、ツーアームレバー２３が回動軸２５の周りに回動可能に取り付けられている。ツーアームレバー２３の第１のレバー端部は、ヒンジ軸３６を介してトランスミッションレバー２６の第１の端部に連結され、トランスミッションレバー２６の第２の端部は、回動軸受２９を介して引っ張り部材１８にヒンジ結合されている。ツーアームレバー２３の第２のレバー端部は、引っ張り部材１８の移動時に制御曲線３３に沿って移動するようにガイドするガイド部２４を備えている。引っ張り部材１８の引き込み位置において、締結部２２、ヒンジ軸３６、回動軸２５、及び回動軸受２９が、上方から見て、バネ装置１６の作動方向３７に対応する共通線に沿って整列するように見える。これらの構成部品の整列配置によって、引き戻し装置１４の摩擦力を大幅に低減することができる。
【００１９】
引き戻し装置１４のコンパクトな構成は、引っ張り部材１８が引き込まれた状態で、長手方向に沿って湾曲しているトランスミッションレバー２６がツーアームレバー２３を囲んでいることからも見ることができる。更に、バネホルダ２１、ツーアームレバー２３、トランスミッションレバー２６、及び引っ張り部材１８は、それぞれ回動軸２５に対して高さ方向に互いに離れる又は重複するように設けられている。 これらの構成部品の入れ子状の配置によって、引っ張り部材１８の一部をヒンジ軸３６に向かって拡大することができ、全体として、引っ張り部材１８の拡大部分が直線移動経路１９に係合する。それにより、直線移動経路１９に沿った移動時に、引っ張り部材１８の改善された偏向安全誘導を提供することができる。
【００２０】
バネ装置１６として、好ましくは張力ばねの形態である少なくとも１つのコイルバネを備えてもよい。より高いバネ力を提供するために、平行に分岐された２つ以上のコイルバネを有し、張力が付与されたとき同程度に等しく引っ張られるバネ組立体も使用することができる。
【図１】
0006441475.tif 000002
【図２】
0006441475.tif 000003
【図３】
0006441475.tif 000004
【図４】
0006441475.tif 000005
【図５ａ−５ｄ】
0006441475.tif 000006
【図６ａ】
0006441475.tif 000007
【図６ｂ】
0006441475.tif 000008